(57)【特許請求の範囲】
【請求項１】
外部からの回転力により回転される駆動軸（１）と、前記駆動軸（１）に取り付けられ且つ永久磁石（６ＮＬ，６ＳＬ）のＮ極とＳ極とを配置した磁極面を有する第１の回転子板（５Ｌ）と、前記第１の回転子板（５Ｌ）と空間をあけて前記駆動軸（１）に取り付けられ且つ前記第１の回転子板（５Ｌ）の磁極面と同極に対向する永久磁石（６ＮＲ，６ＳＲ）の磁極面を有する第２の回転子板（５Ｒ）と、前記第１の回転子板（５Ｌ）と前記第２の回転子板（５Ｒ）の間に設置されたリングコア（１１）と、前記リングコア（１１）の１／２周分の範囲に隣接して配置された複数の部分巻線（Ｌ１〜Ｌ６）からなる第１の巻線と、前記第１の巻線を構成する部分巻線（Ｌ１〜Ｌ６）を配置の順に直列接続するダイオード（Ｄ１〜Ｄ５）および最後の部分巻線（Ｌ６）に直列接続されたダイオード（Ｄ６）と、前記第１の巻線を構成する部分巻線（Ｌ１〜Ｌ６）およびダイオード（Ｄ１〜Ｄ６）に流れる電流で充電される蓄電回路（Ｈ１〜Ｈ６）と、前記リングコア（１１）の残りの１／２周分の範囲に隣接して配置された複数の部分巻線（Ｌ７〜Ｌ１２）からなる第２の巻線と、前記第２の巻線を構成する部分巻線（Ｌ７〜Ｌ１２）を配置の順に直列接続するダイオード（Ｄ７〜Ｄ１１）および最後の部分巻線（Ｌ１１）に直列接続されたダイオード（Ｄ１２）と、前記第２の巻線を構成する部分巻線（Ｌ７〜Ｌ１２）およびダイオード（Ｄ７〜Ｄ１２）に流れる電流で充電される蓄電回路（Ｈ７〜Ｈ１２）とを具備したことを特徴とする発電装置（１００）。
【請求項２】
請求項１に記載の発電装置（１００）において、前記駆動軸（１）の回転位相を検出する回転位相検出センサ（１２）と、前記回転位相検出センサ（１２）で検出した回転位相に基づいて前記駆動軸（１）の１／２回転では前記第１の巻線側から電流を取り出し前記駆動軸（１）の次の１／２回転では第２の巻線側から電流を取り出すようにスイッチングするスイッチ回路（１３，１４，Ｔ１，Ｔ２）とを具備したことを特徴とする発電装置（１００）。
【発明の詳細な説明】
【技術分野】
【０００１】
本発明は、発電装置に関し、更に詳しくは、外部からの回転力により永久磁石を回転させて発電する発電装置であって、発電効率が高く、放熱特性に優れた発電装置に関する。
【背景技術】
【０００２】
従来、外部からの回転力により永久磁石を回転させて発電する発電装置が知られている（例えば、特許文献１参照。）。
【特許文献１】特開平４−５４８５３号公報
【発明の開示】
【発明が解決しようとする課題】
【０００３】
従来、外部からの回転力により永久磁石を回転させて発電する発電装置では、永久磁石がドラム形をしている。
しかし、ドラム形永久磁石は回転子の重量が重くなる等の理由により、発電効率が低い問題点がある。また、ドラム形永久磁石の回転子と固定子巻線とは同軸円筒状になるため、放熱特性が悪い問題点がある。
そこで、本発明の目的は、外部からの回転力により永久磁石を回転させて発電する発電装置であって、発電効率が高く、放熱特性に優れた発電装置を提供することにある。
【課題を解決するための手段】
【０００４】
第１の観点では、本発明は、外部からの回転力により回転される駆動軸（１）と、前記駆動軸（１）に取り付けられ且つ永久磁石（６ＮＬ，６ＳＬ）のＮ極とＳ極とを配置した磁極面を有する第１の回転子板（５Ｌ）と、前記第１の回転子板（５Ｌ）と空間をあけて前記駆動軸（１）に取り付けられ且つ前記第１の回転子板（５Ｌ）の磁極面と同極に対向する永久磁石（６ＮＲ，６ＳＲ）の磁極面を有する第２の回転子板（５Ｒ）と、前記第１の回転子板（５Ｌ）と前記第２の回転子板（５Ｒ）の間に設置されたリングコア（１１）と、前記リングコア（１１）の１／２周分の範囲に隣接して配置された複数の部分巻線（Ｌ１〜Ｌ６）からなる第１の巻線と、前記第１の巻線を構成する部分巻線（Ｌ１〜Ｌ６）を配置の順に直列接続するダイオード（Ｄ１〜Ｄ５）および最後の部分巻線（Ｌ６）に直列接続されたダイオード（Ｄ６）と、前記第１の巻線を構成する部分巻線（Ｌ１〜Ｌ６）およびダイオード（Ｄ１〜Ｄ６）に流れる電流で充電される蓄電回路（Ｈ１〜Ｈ６）と、前記リングコア（１１）の残りの１／２周分の範囲に隣接して配置された複数の部分巻線（Ｌ７〜Ｌ１２）からなる第２の巻線と、前記第２の巻線を構成する部分巻線（Ｌ７〜Ｌ１２）を配置の順に直列接続するダイオード（Ｄ７〜Ｄ１１）および最後の部分巻線（Ｌ１１）に直列接続されたダイオード（Ｄ１２）と、前記第２の巻線を構成する部分巻線（Ｌ７〜Ｌ１２）およびダイオード（Ｄ７〜Ｄ１２）に流れる電流で充電される蓄電回路（Ｈ７〜Ｈ１２）とを具備したことを特徴とする発電装置（１００）を提供する。
上記第１の観点による発電装置（１００）では、第１の回転子板（５Ｌ）および第２の回転子板（５Ｒ）がディスク形をしているため、回転子の重量が軽くなる。また、負荷電流が流れる巻線をリングコアにトロイダル巻きしているため、負荷電流による磁束が外部へほとんど出ず、電磁ブレーキがほとんど作用しないない。これらの理由等により、高い発電効率が得られる。また、第１の回転子板（５Ｌ）および第２の回転子板（５Ｒ）で固定子（１０）を挟むと共に第１の回転子板（５Ｌ）の磁極面と対向する第２の回転子板（５Ｒ）の磁極面とで磁極配置が同一であるため、第１の回転子板（５Ｌ）の磁極面に対向する側の巻線部分で発生する起電力と第２の回転子板（５Ｒ）の磁極面に対向する側の巻線部分で発生する起電力とが互いに加算方向となり、この点でも高い発電効率が得られる。さらに、ディスク形永久磁石の回転子と固定子巻線とは平面的に対向し、同軸円筒状にならないため、優れた放熱特性が得られる。
【０００５】
上記発電装置（１００）では、ダイオード（Ｄ１〜Ｄ１２）により直流を得ることが出来る。
上記発電装置（１００）では、蓄電回路（Ｈ１〜Ｈ５）の電圧が加算されるため高い直流電圧が得られる。また、蓄電回路（Ｈ７〜Ｈ１１）の電圧が加算されるため高い直流電圧が得られる。
【０００６】
第２の観点では、本発明は、上記構成の発電装置（１００）において、前記駆動軸（１）の回転位相を検出する回転位相検出センサ（１２）と、前記回転位相検出センサ（１２）で検出した回転位相に基づいて前記駆動軸（１）の１／２回転では前記第１の巻線側から電流を取り出し前記駆動軸（１）の次の１／２回転では第２の巻線側から電流を取り出すようにスイッチングするスイッチ回路（１３，１４，Ｔ１，Ｔ２）とを具備したことを特徴とする発電装置（１００）を提供する。
上記第２の観点による発電装置（１００）では、第１の巻線（Ｌ１〜Ｌ６）から出力する期間と第２の巻線（Ｌ７〜Ｌ１２）から出力する期間とをスイッチ回路（１２，１３，１４，Ｔ１，Ｔ２）で切り替えるため、第１の巻線（Ｌ１〜Ｌ６）と第２の巻線（Ｌ７〜Ｌ１２）を独立に扱うことが出来る。
【発明の効果】
【０００７】
本発明の発電装置によれば、回転子がディスク形をしている。このため、回転子の重量が軽くなる等の理由により、高い発電効率が得られる。さらに、ディスク形永久磁石の回転子と固定子巻線とは平面的に対向し、同軸円筒状にならないため、優れた放熱特性が得られる。
【発明を実施するための最良の形態】
【０００８】
以下、図に示す実施例により本発明をさらに詳細に説明する。なお、これにより本発明が限定されるものではない。
【実施例１】
【０００９】
第１図は、実施例１にかかる発電装置（１００）を示す構成図である。
この発電装置（１００）は、外部に設けたモータ，エンジン，タービン，水車，風車などの回転力により回転される駆動軸（１）と、駆動軸（１）に一体的に取り付けられた左回転子板（５Ｌ）と、左回転子板（５Ｌ）と空間をあけて駆動軸（１）に一体的に取り付けられた右回転子板（５Ｒ）と、左回転子板（５Ｌ）と右回転子板（５Ｒ）の間に設置された固定子ケース（２０）に保持された固定子（１０）とを具備してなる。
【００１０】
駆動軸（１）は、回転子（１０）の中央穴を貫通し、左支持板（２Ｌ）と左軸受（３Ｌ）および右支持板（２Ｒ）と右軸受（３Ｒ）により回転自在に支承されている。
【００１１】
第２図に示すように、左回転子板（５Ｌ）には、固定子（１０）と対向する方向に着磁された半円形の永久磁石（６ＮＬ）が、Ｎ極を固定子（１０）に向けて接着されている。また、固定子（１０）と対向する方向に着磁された半円形の永久磁石（６ＳＬ）が、Ｓ極を固定子（１０）に向けて接着されている。
同様に、右回転子板（５Ｒ）には、固定子（１０）と対向する方向に着磁された半円形の永久磁石（６ＮＲ）が、Ｎ極を固定子（１０）に向けて接着されている。また、固定子（１０）と対向する方向に着磁された半円形の永久磁石（６ＳＲ）が、Ｓ極を固定子（１０）に向けて接着されている。
【００１２】
第３図に示すように、左回転子板（５Ｌ）および右回転子板（５Ｒ）は、磁路となるため、磁気抵抗の小さい材料（例えば鉄）で製作されている。
【００１３】
第４図に示すように、固定子（１０）は、リングコア（１１）に、トロイダル巻きした巻線（Ｌ１）〜巻線（Ｌ１２）を等角度に設けたものである。また、巻線（Ｌ１２）と巻線（Ｌ１）の間には、ホールセンサ１２が設けられている。
【００１４】
第５図は、実施例１に係る発電装置（１００）における電気的接続を示す回路図である。
巻線（Ｌ１）〜巻線（Ｌ６）は、ダイオード（Ｄ１）〜ダイオード（Ｄ５）を介して、直列接続されている。また、巻線（Ｌ６）は、ダイオード（Ｄ６）を介して、第１のトライアック（Ｔ１）の第１端に接続されている。
一方、巻線（Ｌ７）〜巻線（Ｌ１２）は、ダイオード（Ｄ７）〜ダイオード（Ｄ１１）を介して、直列接続されている。また、巻線（Ｌ１２）は、ダイオード（Ｄ１２）を介して、第２のトライアック（Ｔ２）の第１端に接続されている。
また、各ダイオード（Ｄ１〜Ｄ１２）には、それぞれ蓄電回路（Ｈ１〜Ｈ１２）が設けてある。
【００１５】
第１のトライアック（Ｔ１）は、ホールセンサ（１２）が検知する磁束の極性がＳ極からＮ極へ反転した時にゲート回路（１３，１４）により、オンになる。そして、ホールセンサ（１２）が検知する磁束の極性がＮ極からＳ極へ反転した時にオフになる。
一方、第２のトライアック（Ｔ２）は、ホールセンサ（１２）が検知する磁束の極性がＮ極からＳ極へ反転した時にゲート回路（１３）により、オンになる。そして、ホールセンサ（１２）が検知する磁束の極性がＳ極からＮ極へ反転した時にオフになる。
【００１６】
第１のトライアック（Ｔ１）の第２端は、電流制限抵抗Ｒ１を介して、コンデンサ（Ｃ）に接続されている。
また、第２のトライアック（Ｔ２）の第２端は、電流制限抵抗Ｒ２を介して、コンデンサ（Ｃ）に接続されている。
そして、コンデンサ（Ｃ）の両端から直流が出力される。
【００１７】
次に動作を説明する。
駆動軸（１）は、第２図で時計方向に回転される。
駆動軸（１）の回転により左回転子板（５Ｌ）および右回転子板（５Ｒ）が回転すると、やがてホールセンサ（１２）が検知する磁束の極性がＳ極からＮ極へ反転する。これにより、第１のトライアック（Ｔ１）がオンになり、第２のトライアック（Ｔ２）がオフになる。
【００１８】
左回転子板（５Ｌ）および右回転子板（５Ｒ）がさらに回転すると、巻線（Ｌ１）〜巻線（Ｌ６）で、ダイオード（Ｄ１）〜ダイオード（Ｄ６）の順方向に起電力が発生し、蓄電回路（Ｈ１）〜（Ｈ６）が充電される。このとき、蓄電回路（Ｈ１）〜（Ｈ６）の電圧が加算される。そして、蓄電回路（Ｈ６）の電圧で、第１のトライアック（Ｔ１）および電流制限抵抗（Ｒ１）を介して、コンデンサ（Ｃ）が充電され、コンデンサ（Ｃ）の両端から直流が出力される。この間、巻線（Ｌ７）〜巻線（Ｌ１２）では、ダイオード（Ｄ７）〜ダイオード（Ｄ１２）の逆方向に起電力が発生するが、第２のトライアック（Ｔ２）はオフであり、直流の出力に関係しない。
【００１９】
左回転子板（５Ｌ）および右回転子板（５Ｒ）がさらに回転すると、やがてホールセンサ（１２）が検知する磁束の極性がＮ極からＳ極へ反転する。これにより、第１のトライアック（Ｔ１）がオフになり、第２のトライアック（Ｔ２）がオンになる。
【００２０】
左回転子板（５Ｌ）および右回転子板（５Ｒ）がさらに回転すると、巻線（Ｌ１）〜巻線（Ｌ６）で、ダイオード（Ｄ１）〜ダイオード（Ｄ６）の逆方向に起電力が発生するが、第１のトライアック（Ｔ１）はオフであり、直流の出力に関係しない。一方、巻線（Ｌ７）〜巻線（Ｌ１２）では、ダイオード（Ｄ７）〜ダイオード（Ｄ１２）の順方向に起電力が発生し、蓄電回路（Ｈ７）〜（Ｈ１２）が充電される。このとき、蓄電回路（Ｈ７）〜（Ｈ１２）の電圧が加算される。そして、蓄電回路（Ｈ１２）の電圧で、第２のトライアック（Ｔ２）および電流制限抵抗（Ｒ２）を介して、コンデンサ（Ｃ）が充電され、コンデンサ（Ｃ）の両端から直流が出力される。
【００２１】
実施例１の発電装置（１００）によれば、左回転子板（５Ｌ）および右回転子板（５Ｒ）がディスク形をしており、回転子の重量が軽くなる等の理由により、高い発電効率が得られる。また、左回転子板（５Ｌ）および右回転子板（５Ｒ）で固定子（１０）を挟むと共に左回転子板（５Ｌ）の磁極面と対向する右回転子板（５Ｒ）の磁極面とで同極性の磁極配置であるため、左回転子板（５Ｌ）の磁極面に対向する側の巻線部分で発生する起電力と右回転子板（５Ｒ）の磁極面に対向する側の巻線部分で発生する起電力とが互いに加算方向となり、この点でも高い発電効率が得られる。さらに、左回転子板（５Ｌ）および右回転子板（５Ｒ）と固定子（１０）とは平面的に対向し、同軸円筒状にならないため、優れた放熱特性が得られる。
【実施例２】
【００２２】
実施例１では、一つの回転子板について略１／２円形の永久磁石を２個としたが、略１／２ｋ円形の永久磁石を２ｋ（ｋは２以上の整数）個としてもよい。例えば、略１／４円形の永久磁石を４個とし、２個を続けてＮ極とし、他の２個を続けてＳ極としてもよい。ただし、２個を続けてＮ極とし、他の２個を続けてＳ極とするのは、略１／２円形の永久磁石を２個とする場合と実質的に等価である。
また、磁極面にＮ極とＳ極とが同一周期で交互に現れるように着磁した１個の円形の永久磁石を用いてもよい。
【産業上の利用可能性】
【００２３】
本発明の発電装置は、外部に設けたモータ，エンジン，タービン，水車，風車などの回転力により発電するのに利用できる。
【図面の簡単な説明】
【００２４】
【図１】実施例１に係る発電装置の正面図である。
【図２】実施例１に係る発電装置における左固定子板を示す側面図である。
【図３】実施例１に係る発電装置における固定子を示す正面図である。
【図４】実施例１に係る発電装置における回転子を示す正面断面図および側面図である。
【図５】実施例１に係る発電装置における電気的接続を示す回路図である。
【００２５】
１                  駆動軸
５Ｌ                第１の回転子板
５Ｒ                第２の回転子板
６ＮＬ，６ＳＬ      永久磁石
６ＮＲ，６ＳＲ      永久磁石
１００              発電装置
１１                リングコア
Ｌ１〜Ｌ６          部分巻線（第１の巻線）
Ｄ１〜Ｄ６          ダイオード
Ｈ１〜Ｈ６          蓄電回路
Ｌ７〜Ｌ１２        部分巻線（第２の巻線）
Ｄ７〜Ｄ１２        ダイオード
Ｈ７〜Ｈ１２        蓄電回路
【図１】
0003783141.tif 000002
【図２】
0003783141.tif 000003
【図３】
0003783141.tif 000004
【図４】
0003783141.tif 000005
【図５】
0003783141.tif 000006